【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
コーティングを有するメタリック顔料であって、前記コーティングが、前記メタリック顔料を包み込み、化学的に架橋可能であるかおよび／または加熱、赤外線照射、紫外線照射、および／または電子照射することによって架橋可能であるオリゴマー性および／またはポリマー性結合剤を含み、コーティングされたメタリック顔料が、粒径ｄ５０が１９０μｍ未満である粉末の形態で存在し、粉末ベースのワニス中で硬化の後にも腐食に対する抵抗性を有することを特徴とする、メタリック顔料。
【請求項２】
前記コーティングされたメタリック顔料の粒径ｄ５０が、５μｍ〜１００μｍの範囲であることを特徴とする、請求項１に定義されたメタリック顔料。
【請求項３】
前記メタリック顔料が、コーティングされたメタリック顔料の全重量を基準にして、２０〜８５重量％のオリゴマー性および／またはポリマー性結合剤を含むことを特徴とする、先行する請求項のいずれか１項に定義されたメタリック顔料。
【請求項４】
前記コーティングが、前記結合剤に加えて、補助剤および／または助剤をさらに含むことを特徴とする、先行する請求項のいずれか１項に定義されたメタリック顔料。
【請求項５】
前記補助剤および／または助剤が、有機および／または無機の有色顔料および／または染料を含むことを特徴とする、請求項４に定義されたメタリック顔料。
【請求項６】
前記補助剤および／または助剤が、硬化剤、光重合開始剤および／または重合開始剤を含むことを特徴とする、請求項４に定義されたメタリック顔料。
【請求項７】
前記補助剤および／または助剤が、さらなるワニス成分、好ましくは、充填剤、脱気剤、膜形成助剤、防炎剤、接着促進剤、光安定化剤、艶消し剤、重合開始剤、ラジカル阻害剤、固結防止剤、スリップ剤、放射線硬化反応性希釈剤、紫外線吸収剤、流動調節剤、架橋触媒、および／またはワックスを含むことを特徴とする、請求項４に定義されたメタリック顔料。
【請求項８】
前記メタリック顔料が、前記結合剤を用いた前記コーティングの塗布の前に、追加の１層の好ましくは架橋された層を用いるか、または追加の複数の好ましくは架橋された層を用いてプライマー処理されていることを特徴とする、先行する請求項のいずれか１項に定義されたメタリック顔料。
【請求項９】
前記メタリック顔料が、二酸化ケイ素、金属酸化物、有機リン化合物、好ましくはリン酸エステルおよび／またはホスホン酸化合物、および／またはポリマーを用いてプライマー処理されていることを特徴とする、請求項８に定義されたメタリック顔料。
【請求項１０】
前記メタリック顔料が、結合剤コーティングのための接着促進剤、好ましくは官能化シラン、官能化ポリマーおよび／または有機リン化合物、好ましくはリン酸エステルおよび／またはホスホン酸化合物を用いてプライマー処理されていることを特徴とする、請求項８に定義されたメタリック顔料。
【請求項１１】
前記（１種または複数種の）結合剤が、ポリエステル樹脂、エポキシド樹脂、ポリウレタン樹脂、ＵＶ硬化システム、アクリレート、およびそれらの混合物からなる群より選択されることを特徴とする、先行する請求項のいずれか１項に定義されたメタリック顔料。
【請求項１２】
前記ポリエステル樹脂が、ＯＨ基を含み、ヒドロキシル価が３０〜１５０ｍｇのＫＯＨ／ｇの間である飽和ポリエステル樹脂、酸価が２５〜７０ｍｇのＫＯＨ／ｇの間である飽和カルボキシル基含有ポリエステル樹脂、およびそれらの混合物からなる群より選択されることを特徴とする、請求項１１に定義されたメタリック顔料。
【請求項１３】
前記エポキシド樹脂が、２個以上のエポキシド環と、好ましくは４００〜２５００のエポキシ当量（ＥＥＷ）を有するものからなる群より選択されることを特徴とする、請求項１１に定義されたメタリック顔料。
【請求項１４】
前記ポリウレタン樹脂が、ブロックされたおよび／またはブロックされていないポリイソシアネートを含む、ＯＨ官能性ポリエステル樹脂またはポリアクリレート樹脂、およびそれらの混合物からなる群より選択されることを特徴とする、請求項１１に定義されたメタリック顔料。
【請求項１５】
前記ＵＶ硬化システムが、１個の不飽和および／または複数個の不飽和二重結合を有する化合物であることを特徴とする、請求項１１に定義されたメタリック顔料。
【請求項１６】
前記硬化剤が、ヒドロキシアルキルアミン含有化合物、グリシジル基含有化合物、エポキシ基含有化合物、トリグリシジルイソシアヌレート、およびそれらの混合物からなる群より選択されることを特徴とする、請求項６〜１５のいずれか１項に定義されたメタリック顔料。
【請求項１７】
前記（１種または複数種の）結合剤の架橋、および存在しているいずれかの硬化剤の架橋が、熱的に誘導できることを特徴とする、先行する請求項のいずれか１項に定義されたメタリック顔料。
【請求項１８】
前記結合剤を含む前記コーティングが腐食防止剤を含むことを特徴とする、先行する請求項のいずれか１項に定義されたメタリック顔料。
【請求項１９】
前記腐食防止剤が、陽極性および／または陰極性の腐食防止剤であることを特徴とする、請求項１８に定義されたメタリック顔料。
【請求項２０】
前記腐食防止剤が、腐食に対して安定化された顔料、好ましくはストロンチウム亜鉛ホスホシリケート、亜鉛アルミニウムポリホスフェート水和物、亜鉛カルシウムアルミニウムストロンチウムホスフェートシリケート水和物、亜鉛カルシウムストロンチウムオルトホスフェートシリケート水和物、ストロンチウムアルミニウムポリホスフェート水和物、カルシウムアルミニウムポリホスフェートシリケート水和物、およびモリブデン酸のナトリウムおよび／またはカルシウムおよび／または亜鉛の塩および／またはホスホモリブデン酸塩および／またはリン酸亜鉛錯体、ならびにそれらの混合物からなる群より選択されることを特徴とする、請求項１８または請求項１９に定義されたメタリック顔料。
【請求項２１】
前記腐食に対して安定化された顔料が、０．１〜１０μｍ、好ましくは０．１５〜５μｍの範囲の平均粒径を有することを特徴とする、請求項１８〜２０のいずれか１項に定義されたメタリック顔料。
【請求項２２】
前記メタリック顔料が、アルミニウム、銅、鉄、チタン、ニッケル、亜鉛、および黄銅顔料、ならびにそれらの混合物からなる群より選択されることを特徴とする、請求項１〜２１のいずれか１項に定義されたメタリック顔料。
【請求項２３】
前記メタリック顔料が、酸化されたメタリック顔料、好ましくは酸化された銅および／または黄銅顔料であることを特徴とする、請求項１〜２２のいずれか１項に定義されたメタリック顔料。
【請求項２４】
前記メタリック顔料が、化学的ウェットプロセス酸化されたアルミニウム顔料であることを特徴とする、請求項１〜２２のいずれか１項に定義されたメタリック顔料。
【請求項２５】
前記メタリック顔料が、メタルコアおよび／またはメタルコーティングを有するメタル含有干渉顔料であることを特徴とする、先行する請求項のいずれか１項に定義されたメタリック顔料。
【請求項２６】
前記粉末が、液相、好ましくは有機溶媒と組み合わされてペーストとして存在していることを特徴とする、先行する請求項のいずれか１項に定義されたメタリック顔料。
【請求項２７】
粉末ベースのワニスのためのマスターバッチであって、前記マスターバッチが、請求項１〜２５のいずれか１項に定義されたメタリック顔料を含むことを特徴とする、マスターバッチ。
【請求項２８】
コーティング組成物であって、前記コーティング組成物が、請求項１〜２６のいずれか１項に定義されたメタリック顔料を含み、前記メタリック顔料が、コーティング組成物を硬化させた後に、腐食抵抗性を有することを特徴とする、コーティング組成物。
【請求項２９】
前記コーティング組成物が、粉末ベースのワニスを含むことを特徴とする、請求項２８に定義されたコーティング組成物。
【請求項３０】
前記コーティング組成物が、コーティング組成物の全重量を基準にして、０．５〜１５重量％、好ましくは１〜１２重量％の金属含量を有することを特徴とする、請求項２８または請求項２９に定義されたコーティング組成物。
【請求項３１】
前記コーティング組成物が、２〜８重量％の金属含量を有することを特徴とする、請求項３０に定義されたコーティング組成物。
【請求項３２】
前記粉末ベースのワニスと、前記メタリック顔料のコーティングとが同一の結合剤を含むことを特徴とする、請求項２９〜３１のいずれか１項に定義されたコーティング組成物。
【請求項３３】
コーティングされた物であって、前記物が、請求項１〜２６のいずれか１項に定義されたメタリック顔料を用いるか、または請求項２８〜３２のいずれか１項に定義されたコーティング組成物を用いてコーティングされていることを特徴とする、コーティングされた物。
【請求項３４】
請求項３３記載のコーティングされた物であって、前記物が、ファサード要素、好ましくは、ファサードタイルや窓枠、車両ボディ、好ましくは、自動車のボディ、または車両、好ましくは、自転車またはオートバイのフレームであることを特徴とする、コーティングされた物。
【請求項３５】
請求項１〜２６のいずれか１項に定義されたメタリック顔料を製造するためのプロセスであって：
ａ）有機溶媒の中でオリゴマー性および／またはポリマー性結合剤の溶液または分散体を調製する工程；
ｂ）前記結合剤を用いてメタリック顔料をコーティングする工程であって
ｉ）工程ａ）で製造した溶液または分散体の中にメタリック顔料を分散させ、それに続いて、それを噴霧する工程か、または
ｉｉ）工程ａ）で製造した溶液または分散体を、ガス流中で流動化させたメタリック顔料の上に噴霧する工程；
ｃ）結合剤を用いてコーティングされたメタリック顔料を、乱流ガス流中で乾燥させる工程；を含む、プロセス。
【請求項３６】
前記結合剤を用いてコーティングされた前記メタリック顔料を、工程ｃ）に続けて、さらに分粒にかけることを特徴とする、請求項３５に定義されたメタリック顔料を製造するためのプロセス。
【請求項３７】
溶媒の中に溶解または分散させた前記オリゴマー性および／またはポリマー性結合剤に、好ましくはそれをメタリック顔料と接触させるより前に、補助剤および／または助剤をさらに添加することを特徴とする、請求項３５または請求項３６に定義されたプロセス。
【請求項３８】
前記補助剤および／または助剤が、硬化剤、光重合開始剤および／または重合開始剤を含むことを特徴とする、請求項３７に定義されたプロセス。
【請求項３９】
前記補助剤および／または助剤が、腐食防止剤および好ましくは腐食に対して安定化された顔料を含むことを特徴とする、請求項３７に定義されたプロセス。
【請求項４０】
使用する前記溶媒が、水、有機溶媒、または含水有機溶媒であることを特徴とする、請求項３５〜３９のいずれか１項に定義されたプロセス。
【請求項４１】
前記工程（ｂｉ）および（ｃ）を組み合わせて、前記コーティングされたメタリック顔料の噴霧と溶媒の除去とを、スプレードライによって実施することを特徴とする、請求項３５〜４０のいずれか１項に定義されたプロセス。
【請求項４２】
前記工程（ｂｉｉ）および（ｃ）を組み合わせて、前記メタリック顔料のコーティングと乾燥とを、流動層または流動床の中で実施し、そこで、溶媒の中に溶解または分散させた前記オリゴマー性および／またはポリマー性結合剤をスプレー注入して、前記溶媒を流動層または流動床の中での乱流混合により除去することを特徴とする、請求項３５〜４０のいずれか１項に定義されたプロセス。
【請求項４３】
ペイント、ワニス、粉末ベースのワニス、印刷インク、プラスチック材料、またはマニキュア液における、請求項１〜２５のいずれか１項に定義されたメタリック顔料の使用。
【請求項４４】
ファサードをコーティングするための高度に耐久性のある粉末ベースのワニス中における、請求項１〜２５のいずれか１項に定義されたメタリック顔料の使用。
【請求項４５】
マニキュア液であって、請求項１〜２６のいずれか１項に定義されたメタリック顔料を含むことを特徴とする、マニキュア液。